(57)【要約】【課題】地上デジタル放送の選局時に、音声のみを出力したり、映像のみを出力したりすることのない放送受信装置を提供する。【解決手段】ＰＭＴを受信解析する前に選局時に過去に受信保存したＰＩＤによって映像と音声のコンポーネントをフィルタリングして、映像と音声のコンポーネントが両方フィルタリングできないならば、ＰＭＴを受信解析して映像と音声のコンポーネントのＰＩＤが得られるまで映像と音声を出力しない。【選択図】図２
2007202013.tif 000002
【特許請求の範囲】
【請求項１】
ＰＭＴ（Ｐｒｏｇｒａｍ  Ｍａｐ  Ｔａｂｌｅ）を受信解析する前に選局時に過去に受信保存したＰＩＤ（Ｐａｃｋｅｔ  ＩＤ）によってコンポーネントのフィルタリングを行うフィルタリング手段と、
コンポーネントの一部が前記フィルタリング手段でフィルタリングできない場合、受信したＰＭＴを受信解析して得られたコンポーネントのＰＩＤによりフィルタリングされるまで全てのコンポーネントを出力しない制御手段と、
を備えることを特徴とする放送受信装置。
【請求項２】
前記制御手段は、過去に受信保存したＰＩＤの履歴を保持する受信履歴情報から取得した最も使用頻度の高いＰＩＤを、ＰＭＴを受信解析する前のフィルタリングに用いることを特徴とする請求項１に記載の放送受信装置。
【請求項３】
前記制御手段は、前回受信保存した番組配列情報に含まれるＰＩＤでフィルタリングできない場合、過去に受信保存したＰＩＤの履歴を保持する受信履歴情報から取得した最も使用頻度の高いＰＩＤを、ＰＭＴを受信解析する前のフィルタリングに用いることを特徴とする請求項１に記載の放送受信装置。
【請求項４】
前記制御手段は、前記受信履歴情報を、放送局または番組または時間によって記録し、放送局または番組または時間を加味して最も使用頻度の高いＰＩＤを選ぶことを特徴とする請求項２または３に記載の放送受信装置。
【請求項５】
放送波からＮＩＴ（Ｎｅｔｗｏｒｋ  Ｉｎｆｏｒｍａｔｉｏｎ  Ｔａｂｌｅ）を受信して取得したサービスＩＤと過去に受信保存した番組配列情報に含まれるサービスＩＤとが同じであれば、ＰＭＴを受信解析する前に過去に受信保存した番組配列情報に含まれるＰＩＤによってコンポーネントをフィルタリングすることを特徴とする放送受信装置。
【請求項６】
ＰＭＴ（Ｐｒｏｇｒａｍ  Ｍａｐ  Ｔａｂｌｅ）を受信解析する前に選局時に過去に受信保存したＰＩＤ（Ｐａｃｋｅｔ  ＩＤ）によってコンポーネントをフィルタリングし、コンポーネントの一部がフィルタリングできない場合、受信したＰＭＴを受信解析して得られたコンポーネントのＰＩＤによりフィルタリングされるまで全てのコンポーネントを出力しないことを特徴とする放送受信装置の選局方法。
【請求項７】
過去に受信保存したＰＩＤの履歴を保持する受信履歴情報から取得した最も使用頻度の高いＰＩＤを、ＰＭＴを受信解析する前のフィルタリングに用いることを特徴とする請求項６に記載の放送受信装置の選局方法。
【請求項８】
前回受信保存した番組配列情報に含まれるＰＩＤでフィルタリングできない場合、過去に受信保存したＰＩＤの履歴を保持する受信履歴情報から取得した最も使用頻度の高いＰＩＤを、ＰＭＴを受信解析する前のフィルタリングに用いることを特徴とする請求項６に記載の放送受信装置の選局方法。
【請求項９】
前記受信履歴情報を、放送局または番組または時間によって記録し、放送局または番組または時間を加味して最も使用頻度の高いＰＩＤを選ぶことを特徴とする請求項７または８に記載の放送受信装置の選局方法。
【請求項１０】
放送波からＮＩＴ（Ｎｅｔｗｏｒｋ  Ｉｎｆｏｒｍａｔｉｏｎ  Ｔａｂｌｅ）を受信して取得したサービスＩＤと過去に受信保存した番組配列情報に含まれるサービスＩＤとを比較し、サービスＩＤが同じであれば、ＰＭＴを受信解析する前に過去に受信保存した番組配列情報に含まれるＰＩＤによってコンポーネントをフィルタリングすることを特徴とする放送受信装置の選局方法。
【発明の詳細な説明】
【技術分野】
【０００１】
本発明は、地上デジタル放送を受信して映像・音声コンテンツを表示する放送受信装置および放送受信装置の選局方法に関するものである。
【背景技術】
【０００２】
地上デジタル放送では、映像コンテンツや音声コンテンツなどはそれぞれ１８８バイトのＴＳＰ（Ｔｒａｎｓｐｏｒｔ  Ｓｔｒｅａｍ  Ｐａｃｋｅｔ）と呼ばれるパケットに分割され、それらはＭＰＥＧ−２  ＴＳ（Ｔｒａｎｓｐｏｒｔ  Ｓｔｒｅａｍ）形式で時分割に多重化され、１つにまとめて放送される。ＴＳＰにはコンテンツごとにＰＩＤ（Ｐａｃｋｅｔ  ＩＤ）と呼ばれる個別の識別情報が付与されるので、このＰＩＤによってＴＳＰが映像コンテンツなのか、音声コンテンツなのかを判別することができる。
【０００３】
ＭＰＥＧ−２  ＴＳには映像コンテンツや音声コンテンツだけではなく、字幕コンテンツやデータ放送、映像や音声の時刻の基準となるＰＣＲ（Ｐｒｏｇｒａｍ  Ｃｌｏｃｋ  Ｒｅｆｅｒｅｎｃｅ）、放送サービスである番組配列情報などが多重化されている。放送サービスの制御情報の中で、ＭＰＥＧ−２  ＴＳから所望のコンテンツを取得するために必要な情報は、ＰＡＴ（Ｐｒｏｇｒａｍ  Ａｓｓｏｓｉａｔｉｏｎ  Ｔａｂｌｅ）とＰＭＴ（Ｐｒｏｇｒａｍ  Ｍａｐ  Ｔａｂｌｅ）の情報である。
【０００４】
ＰＡＴは、多重化された各サービスに対応するＰＭＴのＰＩＤが格納されている情報であり、ＰＭＴは、番組に関連する映像や音声などのＰＩＤが格納されている情報である。ＰＭＴのＰＩＤはＰＡＴに格納されているため、ＰＭＴを受信するためにはＰＡＴを受信しなければならない。ＰＡＴのＰＩＤはあらかじめ決まっている。例えば、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：社団法人  電波産業会）では“０ｘ００００”と規定されている。なお、地上デジタル放送の携帯受信機向けサービスである部分受信階層では、ＰＡＴは運用されておらず、ＮＩＴ（Ｎｅｔｗｏｒｋ  Ｉｎｆｏｒｍａｔｉｏｎ  Ｔａｂｌｅ）に含まれるサービスＩＤの下位３ビットの値によってＰＭＴのＰＩＤが割り振られている。例えば、サービスＩＤの下位３ビットが０の場合、ＰＭＴのＰＩＤは“０ｘ１ＦＣ８”であり、１の場合は“０ｘ１ＦＣ９”である。
【０００５】
ところで部分受信階層の映像コンテンツはＨ．２６４で符号化されている。Ｈ．２６４では、映像のフレームのまとまりとして、それだけで１枚のピクチャを復号できるＩＤＲ（Ｉｎｓｔａｎｔａｎｅｏｕｓ  Ｄｅｃｏｄｉｎｇ  Ｒｅｆｒｅｓｈ：デコーダ復号動作の瞬時リフレッシュ）ピクチャと、他のピクチャを参照して１枚のピクチャを復号できるｎｏｎ−ＩＤＲピクチャがある。もしもｎｏｎ−ＩＤＲピクチャから復号した場合は、参照するピクチャが存在しないため、崩れた出力になってしまう。したがって、Ｈ．２６４で符号化された映像コンテンツを復号するには必ずＩＤＲピクチャから復号する必要がある。
【０００６】
図６は、部分受信階層のコンテンツを受信する従来方式の放送受信装置の選局動作を説明するフローチャートである。始めに受信部の初期設定を行い、放送波の受信を開始する（ステップ５１１）。次に、過去に受信した番組配列情報である前回の番組配列情報をメモリに保持しているかどうかを判断し（ステップ５１２）、保持していれば、前回の番組配列情報に含まれる各コンポーネントのＰＩＤでＴＳパケットをフィルタリングし（ステップ５１３）、映像と音声を出力する（ステップ５１４）。そして前回の番組配列情報を保持している／いないにかかわらず、放送波からＮＩＴをフィルタリングする（ステップ５１５）。ＮＩＴからサービスＩＤを取得し、サービスＩＤの下位３ビットからＰＭＴのＰＩＤを求める（ステップ５１６）。その後ＰＭＴを受信、フィルタリングし（ステップ５１７）、ＰＭＴに記述された各コンポーネントのＰＩＤを取得する（ステップ５１８）。取得した番組配列情報とメモリに保持されていた番組配列情報とを比較し（ステップ５１９）、異なればメモリに保持した番組配列情報をすべて更新し（ステップ５２０）、取得した各コンポーネントのＰＩＤで映像コンテンツ・音声コンテンツ・字幕コンテンツをフィルタリングし（ステップ５２１）、各コンテンツを取得する。次に、コンテンツごとに復号してＰＣＲによってタイミングをはかりながら映像と音声を出力する（ステップ５２２）。特に映像はＩＤＲピクチャを受信してから出力する。ステップ５１９において、取得した番組配列情報とメモリに保持されていた番組配列情報が同じであれば選局動作を終了する。
【０００７】
ＮＩＴやＰＡＴ、ＰＭＴを含めて番組配列情報（ＳＩ：Ｓｅｒｖｉｃｅ  Ｉｎｆｏｒｍａｔｉｏｎ）は、常時送出されているわけではなく、一定間隔で送出されているので、放送サービスの番組配列情報を受信するには時間がかかる。そのため上記の選局動作を行うと、映像や音声を出力するまでに時間がかかる。例えば、非特許文献１では、部分受信階層のＮＩＴの再送周期を１秒（最大３秒）、ＰＭＴの再送周期を２００ｍｓ（最大５００ｍｓ）と規定している。また、非特許文献２では部分受信階層の映像のＩピクチャの送出周期を通常２秒、最大５秒と規定している。そのため、選局してから映像や音声を出力するまでに、部分受信階層の通常の運用を例にすれば、最大３．２秒かかることになる。よって選局動作に時間がかかるという問題がある。
【０００８】
非特許文献３では、選局時の映像や音声の出力を早くするため、直近のＰＭＴを用いて映像や音声の出力を早くする方法が記されている。この方法であれば、映像や音声を出力するまでの時間を短縮できる。
【非特許文献１】ＡＲＩＢの規格  ＴＲ−Ｂ１４  ２．３版第四編第一部１２．４
【非特許文献２】ＡＲＩＢの規格  ＴＲ−Ｂ１４  ２．３版第三編第四部５．１
【非特許文献３】ＡＲＩＢの規格  ＴＲ−Ｂ１４  ２．３版第二編６．３
【発明の開示】
【発明が解決しようとする課題】
【０００９】
しかし、直近のＰＭＴが常に正しいＰＭＴであるとは限らない。特に移動可能な放送受信装置は、移動先で同じチャンネルを受信できても同じ放送局であるとは限らない。このため、異なる放送局であった場合、例えば映像のみ同じＰＩＤ、または音声のみ同じＰＩＤである可能性がある。この場合、そのときに受信しているチャンネルのＰＭＴを受信して改めて各コンポーネントのＰＩＤを設定するまで、映像のみを出力したり、音声のみを出力したりする問題がある。さらに、複数のサービス、例えばサービス１、サービス２を放送している場合に、映像はサービス１のＰＩＤであり、音声はサービス２のＰＩＤであった場合に映像と音声が一致しない場合もある。
【００１０】
従来方式における問題点について図示したのが図７である。受信時にメモリ内の番組配列情報のコンポーネントのＰＩＤでフィルタリングした際に音声のＰＩＤだけ同じであった場合は、（ａ）のように音声だけが出力され、映像やデータ放送は表示されない。しばらくしてＮＩＴ、ＰＭＴを受信して正しい番組配列情報を取得し、取得した各コンポーネントのＰＩＤで再フィルタリングし、出力を行うと（ｂ）のようになる。このとき（ａ）から（ｂ）への遷移には一定時間かかるため、映像の内容と音声の内容が一致しない期間が発生する。また、フィルタリングした音声が誤っている可能性もある。
【００１１】
また、選局したチャンネルで複数のサービスがあり、かつ複数のサービスで同じＰＩＤがあった場合、（ｃ）のように映像はニュースであるのに、音声は野球であるというような音声と映像が一致しない問題も発生する可能性がある。この場合も、ＮＩＴ、ＰＭＴを受信して正しい番組配列情報を取得し、取得した各コンポーネントのＰＩＤで再フィルタリングし、出力を行うと（ｂ）のようになるが、その間、映像の内容と音声の内容が一致しない。
【００１２】
本発明は、このような問題点に鑑みてなされたものであり、本発明の目的は、地上デジタル放送の選局時に、音声のみを出力したり、映像のみを出力したりすることがなく、また映像と音声の内容が正しく出力される可能性が高い放送受信装置および放送受信装置の選局方法を提供することにある。
【課題を解決するための手段】
【００１３】
上記目的を達成するため、本発明は、ＰＭＴを受信解析する前に選局時に過去に受信保存したＰＩＤによってコンポーネントのフィルタリングを行うフィルタリング手段と、コンポーネントの一部がフィルタリング手段でフィルタリングできない場合、受信したＰＭＴを受信解析して得られたコンポーネントのＰＩＤによりフィルタリングされるまで全てのコンポーネントを出力しない制御手段とを備えることを特徴とする。
【００１４】
また、本発明は、放送波からＮＩＴを受信して取得したサービスＩＤと過去に受信保存した番組配列情報に含まれるサービスＩＤとが同じであれば、ＰＭＴを受信解析する前に過去に受信保存した番組配列情報に含まれるＰＩＤによってコンポーネントをフィルタリングすることを特徴とする。
【発明の効果】
【００１５】
本発明は、誤ったコンポーネントを出力しないので、ユーザが不快にならない。また、サービスＩＤでＰＩＤの正当性を評価するため、映像や音声が正しく出力される可能性が高い。
【発明を実施するための最良の形態】
【００１６】
本発明の実施の形態について図面を参照して説明する。図１は、本発明の放送受信装置の実施の形態を示すシステム構成図である。なお、本実施の形態では、放送受信装置として携帯電話機を例示して説明する。図１に示す携帯電話機は、アンテナ１１と、字幕処理部１２と、表示部１３と、データ放送処理部１４と、制御部１５と、受信部１６と、音声復号部１７と、映像復号部１８と、セクション解析部１９と、メモリ２０と、分離部２１とにより構成される。
【００１７】
放送波はアンテナ１１で受信し、入力されたＲＦ信号は制御部１５からの周波数（チャンネル）指定命令に基づいて受信部１６でチューニングされる。受信部１６は周波数変換されたチャンネル信号を復調し、ＭＰＥＧのＴＳ（Ｔｒａｎｓｐｏｒｔ  Ｓｔｒｅａｍ）信号にする。そして、ＴＳパケットは、分離部２１によってＴＳ信号内のパケットＩＤに基づいてフィルタリングされ、音声パケット、映像パケット、データ放送パケット、字幕パケット、セクション（番組配列情報（ＳＩ）をＴＳパケットにマッピングしたシンタクス構造）パケットごとに振り分けて、字幕処理部１２、データ放送処理部１４、音声復号部１７、映像復号部１８、セクション解析部１９に出力する。セクションパケットはセクション解析部１９により番組配列情報（ＳＩ）を取り出され、取り出された番組配列情報（ＳＩ）はメモリ２０に保存される。音声データは音声復号部１７よりスピーカまたはイヤホン（図示せず）から出力され、映像データは映像復号部１８より表示部１３に出力される。データ放送のデータはデータ放送処理部１４で処理され、画面表示用のデータにされて表示部１３に出力される。また、データ放送に含まれるスクリプトもデータ放送処理部１４で処理される。さらに、字幕データは字幕処理部１２により画面表示用のデータにされて表示部１３に出力される。表示部１３は制御部１５からの制御で画面イメージを作成して表示する。
【００１８】
次に、上述した実施の形態に係る放送受信装置の選局動作の第１実施例について説明する。図２は、第１実施例に係る、部分受信階層のコンテンツを受信する放送受信装置の選局動作を説明するフローチャートである。
【００１９】
始めに受信部１６の初期設定を行い、放送波の受信を開始する（ステップ１１１）。次に、メモリ２０に、過去に受信したＰＩＤを含む情報である前回の番組配列情報を保持しているかどうかを判断し（ステップ１１２）、保持していれば、分離部２１にて、その番組配列情報に含まれる各コンポーネントのＰＩＤでＴＳパケットをフィルタリングする（ステップ１１３）。次に、全てのコンポーネント（例えば、映像と音声のコンポーネント）が同時に抽出できたかどうかを判断し（ステップ１１４）、同時に抽出できた場合は、全てのコンポーネント（例えば、映像と音声）を同時に出力する（ステップ１１５）。ステップ１１４において、一部のコンポーネント（例えば、映像と音声のコンポーネントどちらか）が抽出できなければ、全てのコンポーネント（例えば、映像と音声のいずれをも）を出力しない。
【００２０】
なお、コンポーネントは、映像、音声、字幕、データ放送などがあり、上述のコンポーネントに限るものではない。例えば、ステップ１１４において、映像と音声と字幕のコンポーネントが同時に抽出できたかどうかを判断し、同時に抽出できた場合は、ステップ１１５において、映像と音声と字幕を同時に出力し、ステップ１１４において、映像と音声と字幕のコンポーネントのいずれか（一部）が抽出できなければ、全てのコンポーネント（例えば、映像と音声と字幕のいずれをも）を出力しないようにしても良い。
【００２１】
次に、全てのコンポーネント（例えば、映像と音声）を出力するしないにかかわらず、受信した放送波からＮＩＴをフィルタリングする（ステップ１１６）。なお、ステップ１１２において、メモリ２０に、前回の番組配列情報を保持していないときも、番組配列情報のＰＩＤでフィルタリング処理が行なえないのでＮＩＴをフィルタリングする。ＮＩＴからサービスＩＤを取得し、サービスＩＤの下位３ビットからＰＭＴのＰＩＤを求める（ステップ１１７）。その後、受信したＰＭＴをフィルタリングし（ステップ１１８）、ＰＭＴに記述された各コンポーネントのＰＩＤを取得する（ステップ１１９）。
【００２２】
次に、メモリ２０に、前回の番組配列情報を保持している場合は、取得したコンポーネントのＰＩＤと、前回の番組配列情報に含まれるＰＩＤとを比較し（ステップ１２０）、異なればメモリ２０に保持した番組配列情報をすべて更新し（ステップ１２１）、取得したコンポーネントのＰＩＤでフィルタリングし（ステップ１２２）、全てのコンポーネント（例えば、映像と音声または映像と音声と字幕）を出力する（ステップ１２３）。ステップ１２０において、取得したコンポーネントのＰＩＤと、前回の番組配列情報に含まれるＰＩＤとが同じであれば、メモリ２０に保持した番組配列情報を一部またはすべて更新する（ステップ１２４）。
【００２３】
上述のように、本発明は、一部のコンポーネントがフィルタリングできない場合、全てのコンポーネントを出力しないので、ユーザが不快にならない。
【００２４】
次に、放送受信装置の選局動作の第２実施例について説明する。図３は、第２実施例に係る、部分受信階層のコンテンツを受信する放送受信装置の選局動作を説明するフローチャートである。
【００２５】
始めに受信部１６の初期設定を行い、放送波の受信を開始する（ステップ２１１）。次に、メモリ２０に、過去に受信したＰＩＤの履歴である受信履歴情報を保持しているかどうかを判断する（ステップ２１２）。受信履歴情報は、映像・音声・字幕・データ放送のコンポーネントのＰＩＤの履歴を、放送局または番組または時間によって記録する。受信履歴情報を保持していれば、放送局または番組または時間を加味して受信履歴情報から最も使用頻度の高い各コンポーネントのＰＩＤを取得し、取得したＰＩＤでＴＳパケットを分離部２１でフィルタリングする（ステップ２１３）。次に、全てのコンポーネント（例えば、映像と音声のコンポーネント）が同時に抽出できたかどうかを判断し（ステップ２１４）、同時に抽出できた場合は、全てのコンポーネント（例えば、映像と音声）を同時に出力する（ステップ２１５）。ステップ２１４において、一部のコンポーネント（例えば、映像と音声のコンポーネントのどちらか）が抽出できなければ、全てのコンポーネント（例えば、映像と音声のいずれをも）を出力しない。
【００２６】
なお、コンポーネントは、映像、音声、字幕、データ放送などがあり、上述のコンポーネントに限るものではない。例えば、ステップ２１４において、映像と音声と字幕のコンポーネントが同時に抽出できたかどうかを判断し、同時に抽出できた場合は、ステップ２１５において、映像と音声と字幕を同時に出力し、ステップ２１４において、映像と音声と字幕のコンポーネントのいずれか（一部）が抽出できなければ、全てのコンポーネント（例えば、映像と音声と字幕のいずれをも）を出力しないようにしても良い。
【００２７】
次に、全てのコンポーネント（例えば、映像と音声）を出力するしないにかかわらず、受信した放送波からＮＩＴをフィルタリングする（ステップ２１６）。なお、ステップ２１２において、メモリ２０に受信履歴情報を保持していないときも、受信履歴情報のＰＩＤでフィルタリング処理が行なえないのでＮＩＴをフィルタリングする。ＮＩＴからサービスＩＤを取得し、サービスＩＤの下位３ビットからＰＭＴのＰＩＤを求める（ステップ２１７）。その後、受信したＰＭＴをフィルタリングし（ステップ２１８）、ＰＭＴに記述された各コンポーネントのＰＩＤを取得する（ステップ２１９）。
【００２８】
次に、メモリ２０に受信履歴情報を保持している場合は、取得したコンポーネントのＰＩＤと受信履歴情報のＰＩＤとを比較し（ステップ２２０）、異なればメモリ２０に保持した番組配列情報をすべて更新し（ステップ２２１）、取得したコンポーネントのＰＩＤでフィルタリングし（ステップ２２２）、全てのコンポーネント（例えば、映像と音声または映像と音声と字幕）を出力する（ステップ２２３）。ステップ２２０において、取得したコンポーネントのＰＩＤと受信履歴情報のＰＩＤとが同じであればメモリ２０に保持した番組配列情報を一部またはすべて更新する（ステップ２２４）。最後に、取得したコンポーネントのＰＩＤを受信履歴情報に保存する（ステップ２２５）。なお、受信履歴情報から使用頻度の高いＰＩＤを計算する方法としては、同一チャンネルで最も使用されたＰＩＤとする方法や、選局時の時刻と近い履歴を受信履歴情報から取得して最も使用されたＰＩＤとする方法がある。
【００２９】
この第２実施例では、受信履歴情報から取得した最も使用頻度の高いＰＩＤで受信するため、正確なコンポーネントが出力される可能性が高い。また、放送局または番組または時間を加味して使用頻度の高いＰＩＤを取得するので、例えば毎日同じ番組を見る際に正確なコンポーネントが出力される可能性が高い。
【００３０】
次に、放送受信装置の選局動作の第３実施例について説明する。図４は、第３実施例に係る、部分受信階層のコンテンツを受信する放送受信装置の選局動作を説明するフローチャートである。
【００３１】
始めに受信部１６の初期設定を行い、放送波の受信を開始する（ステップ３１１）。次に、メモリ２０に、過去に受信したＰＩＤを含む情報である前回の番組配列情報を保持しているかどうかを判断し（ステップ３１２）、保持していれば、分離部２１により、前回の番組配列情報に含まれる各コンポーネントのＰＩＤでＴＳパケットをフィルタリングする（ステップ３１３）。次に、全てのコンポーネント（例えば、映像と音声のコンポーネント）が同時に抽出できたかどうかを判断し（ステップ３１４）、同時に抽出できた場合は、全てのコンポーネント（例えば、映像と音声）を同時に出力する（ステップ３１５）。
【００３２】
ステップ３１４において、一部のコンポーネント（例えば、映像と音声のどちらか）が抽出できなければ、メモリ２０に、過去に受信したＰＩＤの履歴である受信履歴情報を保持しているかどうかを判断する（ステップ３１６）。ステップ３１６において、受信履歴情報を保持していれば、その受信履歴情報から最も使用頻度の高い各コンポーネントのＰＩＤを取得し、取得したＰＩＤでＴＳパケットをフィルタリングする（ステップ３１７）。次に、全てのコンポーネント（例えば、映像と音声のコンポーネント）が同時に抽出できたかどうかを判断し（ステップ３１８）、同時に抽出できた場合は、全てのコンポーネント（例えば、映像と音声）を同時に出力する（ステップ３１５）。ステップ３１６において、受信履歴情報を保持していない場合、およびステップ３１８において、一部のコンポーネント（例えば、映像と音声のコンポーネントのどちらか）が抽出できない場合、全てのコンポーネント（例えば、映像と音声のいずれをも）を出力しない。
【００３３】
なお、コンポーネントは、映像、音声、字幕、データ放送などがあり、上述のコンポーネントに限るものではない。例えば、ステップ３１４およびステップ３１８において、映像と音声と字幕のコンポーネントが同時に抽出できたかどうかを判断し、同時に抽出できた場合は、ステップ３１５において、映像と音声と字幕を同時に出力し、ステップ３１８において、映像と音声と字幕のコンポーネントのいずれか（一部）が抽出できなければ、全てのコンポーネント（例えば、映像と音声と字幕のいずれをも）を出力しないようにしても良い。
【００３４】
次に、全てのコンポーネント（例えば、映像と音声）を出力するしないにかかわらず、受信した放送波からＮＩＴをフィルタリングする（ステップ３１９）。なお、ステップ３１２において、メモリ２０に前回の番組配列情報を保持していないときも、前回の番組配列情報のＰＩＤでフィルタリング処理が行なえないのでＮＩＴをフィルタリングする。ＮＩＴからサービスＩＤを取得し、サービスＩＤの下位３ビットからＰＭＴのＰＩＤを求める（ステップ３２０）。その後、受信したＰＭＴをフィルタリングし（ステップ３２１）、ＰＭＴに記述された各コンポーネントのＰＩＤを取得する（ステップ３２２）。
【００３５】
次に、取得したコンポーネントのＰＩＤと現在設定中のＰＩＤとを比較し（ステップ３２３）、異なればメモリに保持した番組配列情報をすべて更新し（ステップ３２４）、取得したコンポーネントのＰＩＤでフィルタリングし（ステップ３２５）、全てのコンポーネント（例えば、映像と音声または映像と音声と字幕）を出力する（ステップ３２６）。ステップ３２３において、取得したコンポーネントのＰＩＤと現在設定中のＰＩＤとが同じであればメモリ２０に保持した番組配列情報を一部またはすべて更新する（ステップ３２７）。最後に、取得したコンポーネントのＰＩＤを受信履歴情報に保存する（ステップ３２８）。
【００３６】
この第３実施例では、まずは、前回の番組配列情報に基づいて処理し、その次に、放送局または番組または時間を加味して使用頻度の高いＰＩＤに基づいて処理するので、誤りなく可能な限り最も早くコンポーネントを出力することができる。
【００３７】
次に、放送受信装置の選局動作の第４実施例について説明する。図５は、第４実施例に係る、部分受信階層のコンテンツを受信する放送受信装置の選局動作を説明するフローチャートである。
【００３８】
始めに受信部１６の初期設定を行い、放送波の受信を開始する（ステップ４１１）。次に、放送波からＮＩＴを受信してサービスＩＤを取得する（ステップ４１２）。そして、メモリ２０に、過去に受信したＰＩＤを含む情報である前回の番組配列情報を保持しているかどうかを判断し（ステップ４１３）、保持していれば、サービスＩＤが同じかどうかを判断し（テップ４１４）、同じであれば、メモリ内の番組配列情報に正当性があるので、その番組配列情報に含まれる各コンポーネントのＰＩＤでＴＳパケットをフィルタリングする（ステップ４１５）。
【００３９】
次に、全てのコンポーネント（例えば、映像と音声のコンポーネント）が同時に抽出できたかどうかを判断し（ステップ４１６）、同時に抽出できた場合は、全てのコンポーネント（例えば、映像と音声）を同時に出力する（ステップ４１７）。ステップ４１６において、一部のコンポーネント（例えば、映像と音声のコンポーネントのどちらか）が抽出できなければ、全てのコンポーネント（例えば、映像と音声のいずれをも）を出力しない。
【００４０】
なお、コンポーネントは、映像、音声、字幕、データ放送などがあり、上述のコンポーネントに限るものではない。例えば、ステップ４１６において、映像と音声と字幕のコンポーネントが同時に抽出できたかどうかを判断し、同時に抽出できた場合は、ステップ４１７において、映像と音声と字幕を同時に出力し、ステップ４１６において、映像と音声と字幕のコンポーネントのいずれか（一部）が抽出できなければ、全てのコンポーネント（例えば、映像と音声と字幕のいずれをも）を出力しないようにしても良い。
【００４１】
その後、ＮＩＴのサービスＩＤの下位３ビットからＰＭＴのＰＩＤを求める（ステップ４１８）。なお、ステップ４１３において、メモリ２０に前回の番組配列情報を保持していない場合、またステップ４１４において、サービスＩＤが同じでない場合も、同様にＮＩＴのサービスＩＤからＰＭＴのＰＩＤを求める。そして、受信したＰＭＴをフィルタリングし（ステップ４１９）、ＰＭＴに記述された各コンポーネントのＰＩＤを取得する（ステップ４２０）。
【００４２】
次に、メモリ２０に、前回の番組配列情報を保持している場合は、取得したコンポーネントのＰＩＤと、前回の番組配列情報のＰＩＤとを比較し（ステップ４２１）、異なればメモリ２０に保持した番組配列情報をすべて更新し（ステップ４２２）、取得したコンポーネントのＰＩＤでフィルタリングし（ステップ４２３）、全てのコンポーネント（例えば、映像と音声または映像と音声と字幕）を出力する（ステップ４２４）。ステップ４２１において、取得したコンポーネントのＰＩＤと、前回の番組配列情報のＰＩＤとが同じであればメモリ２０に保持した番組配列情報を一部またはすべて更新する（ステップ４２５）。
【００４３】
この第４実施例では、部分受信階層の映像や音声を受信する場合に、サービスＩＤでＰＩＤの正当性を評価するため、正しいコンポーネントが出力される可能性が高い。
【００４４】
次に、サービスＩＤによって番組配列情報の正当性を評価している点について説明する。地上デジタル放送の１チャンネルの帯域中の１セグメントを使って行われる部分受信サービスでは、サービスのＥＳ（Ｅｌｅｍｅｎｔａｒｙ  Ｓｔｒｅａｍ）の構成や各コンポーネントのＰＩＤは頻繁に変更されないように制限している（ＡＲＩＢ  ＴＲ−Ｂ１４  第七編８．１．１）。また、サービスに付与されるサービスＩＤは、日本の地上デジタル放送の場合、同じ値にならないようになっている（同９．２）。このため、サービスＩＤが同じであると、コンポーネントのＰＩＤも同じ場合が多いため、サービスＩＤが同じであれば、メモリ内の番組配列情報に正当性がある判断できる。
【図面の簡単な説明】
【００４５】
【図１】本発明の放送受信装置の実施の形態を示すシステム構成図である。
【図２】放送受信装置の選局動作の第１実施例について説明するフローチャートである。
【図３】放送受信装置の選局動作の第２実施例について説明するフローチャートである。
【図４】放送受信装置の選局動作の第３実施例について説明するフローチャートである。
【図５】放送受信装置の選局動作の第４実施例について説明するフローチャートである。
【図６】従来方式の放送受信装置の選局動作を説明するフローチャートである。
【図７】従来方式における問題点を説明する図である。
【符号の説明】
【００４６】
１１  アンテナ
１２  字幕処理部
１３  表示部
１４  データ放送処理部
１５  制御部
１６  受信部
１７  音声復号部
１８  映像復号部
１９  セクション解析部
２０  メモリ
２１  分離部
【図１】
2007202013.tif 000003
【図２】
2007202013.tif 000004
【図３】
2007202013.tif 000005
【図４】
2007202013.tif 000006
【図５】
2007202013.tif 000007
【図６】
2007202013.tif 000008
【図７】
2007202013.tif 000009